(57)【要約】【課題】ワークを加熱切断するための機械におけるワークサポートのサポートストリップを洗浄するための機械的な装置であって、少なくとも１つの洗浄機構１１，１２，１３，１４，４０，４１を備えており、該洗浄機構と、洗浄しようとするサポートストリップ２とが、サポートストリップ２の長手方向における送り運動を伴って互いに相対的に移動可能である形式のものを改良して、手動操作し易い装置を提供する。【解決手段】モータ式の送り駆動装置が設けられており、該送り駆動装置が少なくとも１つの送り駆動モータ６と少なくとも１つの送り機構１１，１２，１３，１４とを備えており、該送り機構が、サポートストリップ２に当て付け可能で、かつ前記送り駆動モータ６によって、サポートストリップ２の長手方向での送り運動を生ぜしめながら、サポートストリップ２に当て付けられた部分で以て駆動されるようになっている。【選択図】図１
2006110632.tif 000002
【特許請求の範囲】
【請求項１】
ワークを加工するための機械、殊にワークを加熱切断するための機械におけるワークサポートのサポートストリップを洗浄するための機械的な装置であって、少なくとも１つの洗浄機構（１１，１２，１３，１４，４０，４１）を備えており、該洗浄機構（１１，１２，１３，１４，４０，４１）と、洗浄しようとするサポートストリップ（２）とが、サポートストリップ（２）の長手方向における送り運動を伴って互いに相対的に移動可能である形式のものにおいて、
モータ式の送り駆動装置が設けられており、該送り駆動装置が少なくとも１つの送り駆動モータ（６）と少なくとも１つの送り機構（１１，１２，１３，１４）とを備えており、該送り機構（１１，１２，１３，１４）が、サポートストリップ（２）に当て付け可能で、かつ前記送り駆動モータ（６）によって、サポートストリップ（２）の長手方向での送り運動を生ぜしめながら、サポートストリップ（２）に当て付けられた部分で以て駆動されるようになっていることを特徴とする、ワークサポートのサポートストリップを洗浄するための機械的な装置。
【請求項２】
少なくとも１つの送り機構（１１，１２，１３，１４）が、サポートストリップ（２）の横方向に延在する回転軸線（２３）を中心にして駆動可能であって、駆動された状態で送り運動を生ぜしめながらサポートストリップ（２）上を転動する、請求項１記載の機械的な装置。
【請求項３】
少なくとも１つの送り機構（１１，１２，１３，１４）に、少なくとも１つの対抗ホルダ（１１，１２，１３，１４）が配属されていて、該対抗ホルダ（１１，１２，１３，１４）が、サポートストリップ（２）の、送り機構（１１，１２，１３，１４）とは反対側に当て付け可能で、該対抗ホルダによって、洗浄機構（１１，１２，１３，１４、４０，４１）及び/又はサポートストリップ（２）が、送り運動時にサポートストリップ（２）の長手方向でガイドされるようになっている、請求項１又は２記載の機械的な装置。
【請求項４】
少なくとも１つの送り機構（１１，１２，１３，１４）に、対抗ホルダとしての少なくとも１つの送り機構（１１，１２，１３，１４）が配属されており、該対抗ホルダとしての送り機構が、送り駆動モータ（６）によって、前記送り機構と同軸の回転軸線（２３）を中心にして逆回転で駆動されるようになっている、請求項１から３までのいずれか１項記載の機械的な装置。
【請求項５】
少なくとも１つの洗浄機構（１１，１２，１３，１４、４０，４１）が運転中に、洗浄しようとするサポートストリップ（２）のうちの１つに向かってプリロードをかけるようになっている、請求項１から４までのいずれか１項記載の機械的な装置。
【請求項６】
少なくとも１つの送り機構（１１，１２，１３，１４）及び/又は少なくとも１つの対抗ホルダ（１１，１２，１３，１４）が、洗浄機構（１１，１２，１３，１４）を構成している、請求項１から５までのいずれか１項記載の機械的な装置。
【請求項７】
サポートストリップ（２）の同じ側に配属されていて、このサポートストリップ（２）の長手方向で相前後して配置され、かつそれぞれ１つの洗浄機構（１１，１２，１３，１４）を構成する送り機構（１１，１２，１３，１４）において、この送り機構の、サポートストリップ（２）に当て付けられた部分が、種々異なって形成されている、請求項１から６までのいずれか１項記載の機械的な装置。
【請求項８】
少なくとも１つの送り機構（１１，１２，１３，１４）及び/又は少なくとも１つの対抗ホルダ（１１，１２，１３，１４）及び/又は少なくとも１つの洗浄機構（１１，１２，１３，１４）が、サポートストリップ（２）に向いた側において少なくとも１つの突起を有している、請求項１から７までのいずれか１項記載の機械的な装置。
【請求項９】
装置のベース体（５）の、サポートストリップ（２）の長手方向で両側に、操作グリップ（２５，２６；３４，３５）が設けられている、請求項１から８までのいずれか１項記載の機械的な装置。
【請求項１０】
装置（１）のベース体（５）にガイド装置（１８）が設けられており、該ガイド装置（１８）によって、装置（１）が、送り運動時にサポートストリップ（２）に対して相対的に、かつサポートストリップ（２）の横方向で、並びにサポートストリップ（２）の長手方向側面に沿って変位可能である、請求項１から９までのいずれか１項記載の機械的な装置。
【発明の詳細な説明】
【技術分野】
【０００１】
本発明は、ワーク（加工物）を加工するための機械、特にワークを加熱切断するための機械におけるワークサポートのサポートストリップを洗浄するための機械的な装置であって、少なくとも１つの洗浄機構を備えており、該洗浄機構と、洗浄しようとするサポートストリップとが、サポートストリップの長手方向における送り運動を伴って互いに相対的に移動可能である形式のものに関する。
【背景技術】
【０００２】
このような形式の装置は、国際公開第２００４／０４３６３８号パンフレットにより公知である。従来技術においては、汚れを取り除くための洗浄装置が、マニュアル（手動）で当該のサポートストリップに沿って移動せしめられるようになっている。
【特許文献１】国際公開第２００４／０４３６３８号パンフレット
【発明の開示】
【発明が解決しようとする課題】
【０００３】
本発明の課題は、手動操作し易い装置を提供することである。
【課題を解決するための手段】
【０００４】
この課題を解決した本発明によれば、モータ式の送り駆動装置が設けられており、該送り駆動装置が少なくとも１つの送り駆動モータと少なくとも１つの送り機構とを備えており、該送り機構が、サポートストリップに当て付けられ、かつ前記送り駆動モータによって、サポートストリップの長手方向での送り運動を生ぜしめながら、サポートストリップに当て付けられた部分で以て駆動されるようになっている。
【発明の効果】
【０００５】
本発明によれば、モータ式の送り駆動装置が設けられていて、この送り駆動装置は、送り運動を生ぜしめるために、洗浄しようとするサポートストリップに当て付けられるようになっている。これによって、送り力の少なくとも一部は、装置を操作する作業員ではなく、むしろ装置の固有の駆動装置によってもたらされる。送り運動を生ぜしめるために、本発明による送り駆動装置は、洗浄しようとするサポートストリップを利用するようになっている。従って、送り駆動装置自体は、比較的少ない構成部分で構造的に実現されている。手動で運動せしめられる装置に対して、送り駆動装置に基づいて、場合によっては、装置全体の構造体積及び自重はやや大きくなる。
【０００６】
本発明の有利な実施態様によれば、少なくとも１つの送り機構が、駆動された状態で所属のサポートストリップの長手方向に延在する平面において回転する。このような形式の装置構造は、特に構造がコンパクトであることを特徴としている。これに対応する機械的な装置は請求項２に記載されている。
【０００７】
本発明の別の有利な実施態様によれば、少なくとも１つの送り機構がサポートストリップの一方の長手方向側面に当て付け可能である。このような手段は、特に、洗浄しようとするサポートストリップが一般的に比較的薄く、従ってその上側並びに下側に比較的小さい、当て付けのための面を有していることを考慮した場合に、有利である。さらにサポートストリップの上側に複数の突起部が設けられており、これらの突起部で、載せようとするワークが点状に支持されるようになっている。本発明による送り駆動装置を、非扁平な（平らでない）面に当て付けることは、場合によっては比較的高価な構造的費用を必要とする。これに対して、送り機構をサポートストリップの長手方向側面に当て付ける場合には、付着した汚れは度外視して、支持部としての比較的大きく、かつほぼ平らな面が利用される。
【０００８】
有利な形式で、少なくとも１の送り機構がローラとして構成されており、このローラはその外周面がサポートストリップに当て付け可能であって、サポートストリップの横方向に延びる回転軸線を有している。
【０００９】
請求項３によれば、本発明による送り駆動装置の送り機構においてサポートストリップの互いに反対側の側面に、少なくとも１つの少なくとも１つの対抗ホルダが配属されている。送り機構と対抗ホルダとは、互いに協働し合って、送り装置をサポートストリップの長手方向でガイドする。この自動的なガイドによっても、装置の作業員の負荷は軽減される。
【００１０】
さらに別の本発明の構成によれば、少なくとも１つの送り機構と所属の対抗ホルダとは互いに相対的に調節可能で、その中間室の幅を変えることができるようになっている。このような調節可能性によって、洗浄しようとするサポートストリップの厚さの変化に装置を適応させることができる。
【００１１】
本発明の別の有利な実施態様によれば、少なくとも１つの送り機構及び／又は所属の対抗ホルダが、弾性的な力の作用を受けてサポートストリップに当て付け可能である。このようなばね弾性的な支承部に基づいて、送り機構及び／又は対抗ホルダは、洗浄しようとするサポートストリップの非扁平性（凹凸）を補償することができる。従って、送り運動は、このような非扁平性によって妨げられることは全くないか、又は殆どない。
【００１２】
本発明によればさらに、対抗ホルダが、所属の送り機構の回転軸線と同軸的に延在する回転軸線を中心にして回転可能である。
【００１３】
従って対抗ホルダは、送り運動の際にサポートストリップ上を転動する。堅固に支承されている対抗ホルダと比較して、送り運動時に克服しようとする摩擦は著しく減少される。
【００１４】
本発明の別の有利な実施態様は、単数又は複数の対抗ホルダも送り機構として構成されている（請求項４）。これによって、送り機構は２重の機能を有している。送り機構を、当該のサポートストリップの互いに逆向きの２つの側面に配置したことによって、同様の送り運動が得られる。
【００１５】
本発明による手段、つまりサポートストリップの同じ側に、長手方向で相前後して配置された複数の送り機構が配属されている手段によって、送り運動の最適化が得られる。特に、このような本発明の構成によれば、比較的大きい送り力が導入される。
【００１６】
本発明の請求項５に記載した実施態様によれば、少なくとも１つの洗浄機構が運転中に、洗浄しようとするサポートストリップのうちの１つに向かってプリロード（予備荷重）をかけるようになっている。このようなプリロードに基づいて特に所望の洗浄効果が得られる。プリロードをかけることができる洗浄機構は、種々異なる構造を有していてよい。例えばブラシエレメント、スクレーパ又は洗浄ローラであってよい。
【００１７】
本発明の請求項６に記載した実施態様によれば、少なくとも１つの送り機構及び／又は少なくとも１つの対抗ホルダが同時に洗浄機構として構成されている。「サポートストリップの洗浄」機能、「送り駆動装置」機能若しくは「送り運動のガイド」機能は、同じ構成部材によって実現される。これによって特にコンパクトな装置構造が得られる。
【００１８】
本発明の別の実施態様によれば、サポートストリップの同じ側に配属され、かつこのサポートストリップの長手方向で相前後して配置された送り機構が、それぞれ１つの洗浄機構を構成している。これによって、汚れを特に効果的に取り除くことができる。
【００１９】
サポートストリップの長手方向で相前後して配置された送り及び洗浄機構は、そのサポート側に当て付け可能な部分が種々異なって構成されている（請求項７）。それによって特に最適な洗浄効果が得られる。例えば先行する送り及び洗浄機構は粗洗浄を行い、これに対して後続の送り及び洗浄機構は、細かい汚れを取り除く。
【００２０】
請求項８に記載した実施態様によれば、少なくとも１つの送り機構及び／又は少なくとも１つの対抗ホルダ及び／又は少なくとも１つの洗浄機構が、サポートストリップに向かう側で少なくとも１つの突起を有している。このような形式の複数の突起は、一方では汚れを掻き取るために使用される。また他方ではこのような突起は送り駆動装置がスリップしないように配慮する。
【００２１】
有利にはストリップ状の突起は、サポートストリップの所属の側に沿って、並びにサポートストリップの横方向に延在している。
【００２２】
請求項９及び請求項１０に記載した本発明の実施態様には、送り運動時において装置をガイドするための手段について記載されている。請求項９によれば、装置ベース体の両側に設けられたガイドグリッパによって、送り方向で移動する装置を作業員から別の作業員へ引き渡す作業がより簡単に行われる。請求項１０に記載したガイド装置は、サポートストリップが一般的な形式で、支持構造体上に取り付けられることを考慮して設けられている。この支持構造体自体は、サポートストリップの横方向に延びる支持体を有している。このガイド装置は、このような形式の支持体と、送り方向で洗浄しようとするサポートストリップに沿って移動する装置との間の衝突を阻止する。
【００２３】
有利な形式で、本発明によるガイド装置は少なくとも１つのガイドプレートを有しており、このガイドプレートは、サポートストリップの長手方向側面に沿って延在していて、サポートストリップの長手方向に位置する端面側でガイド面を有している。
【００２４】
同様に、装置の限定されない機能性を得るために、本発明の別の実施態様によれば、装置の駆動系内で送り駆動モータと少なくとも１つの送り機構との間に過負荷防止装置例えば安全クラッチが設けられている。送り運動をロックする際に、このような形式の過負荷防止は、そうでなければ送り駆動装置の構成部分が損傷を被ることを阻止する。
【発明を実施するための最良の形態】
【００２５】
次に本発明を図示の実施例を用いて具体的に説明する。
【００２６】
図１に示されているように、装置１は、例えばワーク（加工物）を支承するための加工機械において公知であるように、サポートストリップ２を洗浄するために用いられている。この場合、互いに並んで配置された複数のサポートストリップ２が１つのワークサポートを形成している。サポートストリップ２自体は、支持構造体上に配置されており、この支持構造体は、サポートストリップ２の横方向に延在していて、図１で概略的に示された横方向支柱３を有している。各サポートストリップ２は上側で歯状の先端４を備えており、これらの先端４は、当該のワークのための点状の支持箇所を形成している。
【００２７】
ワークの加工が連続して行われるにつれて、サポートストリップ２の特に先端４に汚れが堆積する。この汚れの堆積は、ワークサポートの機能性に不都合な影響を与える。
【００２８】
例として示されたサポートストリップ２は、金属薄板加工のためのレーザ切断装置におけるワークサポートの一部を形成している。加熱切断プロセス中に、レーザ切断ビームによって溶融された金属が、切断ギャップからワークサポートに向かって流出する。サポートストリップ２の先端４にスラグ堆積物が形成される（図１でサポートストリップ２の２つの先端４において示されているように）。このスラグ堆積物に基づいて、ワークがサポートストリップ２上に平らに載設されることはもはや保証されなくなる。従ってスラグ堆積物は時々取り除かなければならない。
【００２９】
このために装置１が、ワーク加工作業の中断中に、組み込み位置に残っているサポートストリップ２に装着される。選択的に、汚染されたサポートストリップ２を汚染されていないサポートストリップ２と交換して、汚染されたサポートストリップ２を加工機械から離して洗浄するようにしてもよい。
【００３０】
この装置１は、電気的な駆動モータ６と伝動装置ケーシング７と切換装置ケーシング８とを備えたベース体５を有している。操作軸９は、切換装置ケーシング８から側方に突き出していて、切換レバー１０を備えている。
【００３１】
切換装置ケーシング８から下方にローラ１１，１２，１３，１４が突き出している。ローラ１４は図面では隠れている。ローラ１４はローラ１３と構造的に同じであって、このローラ１３に向かい合っている。
【００３２】
すべてのローラ１１，１２，１３，１４は、ガイドサポート１５に設けられた相応の開口を貫通しており、このガイドサポート１５自体は切換装置ケーシング８に固定されていて、長手方向の両端部が橇状に上方に折り曲げられている。ガイドサポート１５に、このガイドサポート１５の下側に配置されたガイドプレート１６，１７が溶接されている。これらのガイドプレート１６，１７は、ガイド装置１８を形成していて、その端面側に面取りされたガイド面１９，２０を備えている。ローラ１１，１２，１３，１４は、ガイドプレート１６，１７の窓状の切欠内に位置している。ローラ１１，１２はその外周部でストリップ２１を備えており、このストリップ２１は、ローラ１１，１２の軸方向に延在していて、ローラ周方向で比較的大きい幅を有している。ストリップ２１間でローラ１１，１２の周方向に、ストリップ中間室が設けられている。ローラ１３，１４はストリップ２２を有しており、これらのストリップ２２は同様にローラ軸方向に延在しているが、ローラ１１，１２のストリップ２１よりも著しく小さい幅を有している。すべてのローラ１１，１２，１３，１４は、その装置１のベース体５から離れた方の端部が円錐形に構成されている。図１には、ローラ１１のための回転軸線が示されている。ローラ１２，１３，１４は、この回転軸線に対して平行に延びる回転軸線２３を有している。
【００３３】
切換装置ケーシング８の上側で伝動装置ケーシング７に、サポートストリップ２の長手方向に大きく突き出している湾曲ガイド部材２４が取り付けられている。湾曲ガイド部材２４は、互いに反対側でガイドグリッパ２５，２６を備えている。
【００３４】
洗浄プロセスを開始するために、装置１を開放された状態から閉鎖された状態に移行させる必要がある。このために、切換レバー１０が、図３において破線で示された旋回位置から、実線で示された位置へ移行せしめられる。これと連動して行われる操作軸９の回転運動は、公知の送り機構を介して、一方ではローラ１１，１３の互いに逆向きの運動に切り換えられ、また他方ではローラ１２，１４の互いの逆向きの運動に切り換えられる。その結果、一方ではローラ１１，１３間のギャップ幅、また他方ではローラ１２，１４間のギャップ幅が、装置１の開放した状態で比較的大きい値から、装置１の閉じた状態で比較的小さい値に減少する。一方ではローラ１１，１３間の間隔、また他方ではローラ１２，１４間の間隔は、装置１の閉じた状態で、洗浄しようとするサポートストリップ２の厚さよりもやや小さい。
【００３５】
閉じた状態で、装置１は斜め上方から、洗浄しようとするサポートストリップ２に装着される。装置１のこのような装着作業は、ローラ１１，１２，１３，１４の円錐形の端部によって軽減される。電気式の駆動モータ６はまだスイッチオフされている。
【００３６】
装置１が所望の形式でサポートストリップ２に装着されると、電気的な駆動モータ６がスイッチオンされる。この駆動モータ６は、サポートストリップ２の長手方向側でローラ１１，１３を、図１に示した矢印２７の方向で回転軸線２３を中心にして駆動する。このために、駆動モータ６によって、サポートストリップ２の、互いに逆向きの長手方向側面においてローラ１２，１４が駆動される。ローラ１１，１２、１３，１４はサポートストリップ２に沿って転動し、それによってサポートストリップ２をこれらのローラ間のギャップ内に引き込む。従って、サポートストリップ２に斜めに装着される装置１は、傾斜した軌道に沿ってサポートストリップ２の先端４に向かって移動する。この場合、装置１はガイドサポート１５の下側でサポートストリップ２の先端４上に載る。ガイドサポート１５とサポートストリップ２の先端４とが協働することによって、装置１は、その最初の傾斜した位置から出発して、機械軸線に対して垂直に整列される。
【００３７】
サポートストリップ２を引き込む際に、一方ではローラ１１，１３間のギャップ幅、また他方ではローラ１２，１４間のギャップ幅が、最初の最小値から、場合によっては汚染されたサポートストリップ２の厚さに増大する。このために必要な、サポートストリップ２の両側に配置されたローラ対の相対運動は、皿ばねによって生ぜしめられた弾性的な力の作用に抗して行われる。その結果生じる弾性的な戻し力に基づいて、ローラ１１，１３がサポートストリップ２の一方の長手方向側面に、またローラ１２，１４がサポートストリップ２の他方の長手方向側面に当接する。
【００３８】
電気式の駆動モータ６によって駆動されて、ローラ１１，１２，１３，１４はサポートストリップ２上を転動し、それによって装置１がサポートストリップ２の長手方向つまり送り方向２８でサポートストリップ２に沿って移動する。
【００３９】
この場合、ローラ１１，１２，１３，１４は送り機構としてまた洗浄機構としても働く。洗浄機構として働く場合、ローラ１１，１２，１３，１４は、サポートストリップ２に存在する汚れを取り除く。例えば図1に示されているスラグ堆積物は、すり潰されて取り除かれる。取り除かれた材料はローラ１３，１４におけるストリップ２１のストリップ中間室を介して重力の作用下で導出される。ローラ１１，１２によって、特に粗い汚れが取り除かれる。ローラ１３，１４は、ローラ１１，１２による洗浄後に残存した細かい汚れを取り除く。駆動モータ６は、送り駆動モータとしても、また洗浄プロセスを駆動するためにも用いられる。
【００４０】
サポートストリップ２の先端４が、例えばワークサポート上にワークを載せる際に意図しない側方の負荷に基づいて、その最初の垂直位置からやや側方にずれると、サポートストリップ２上を転動するローラ１１，１２，１３，１４はこの先端４をその垂直な初期位置に戻す。
【００４１】
送り装置２８をガイドするために、装置１は作業員によって、ガイドグリッパ２５，２６のうちの一方、有利には送り運動時に遅れて作動する方のガイドグリッパ２５で保持される。特に組み込み位置に残存するサポートストリップ２を洗浄する際には、装置１をその運動中にサポートストリップ２に沿って引き渡す必要がある。この場合、装置１は、当該のワークサポートの、装置１の運動の出発点とは反対側にいる作業員によってガイドグリッパ２６で以て引き取られる。湾曲ガイド部材２４が装置１の送り運動の軸線方向で比較的遠くに降ろされた後で、装置１はマニュアル（手動）でガイドされ、比較的長いサポートストリップ２にも装着することができる。当該のサークサポートの、互いに逆の側における２人の作業員の滑動範囲は、湾曲ガイド部材２４によって必要な寸法に延長される。
【００４２】
手動のガイドを補助するために、装置１においてはガイドサポート１５及びローラ１１，１２，１３，１４が用いられる。橇状に上方に折り曲げられた折り曲げ部に基づいて、ガイドサポート１５はサポートストリップ２の先端４を介して、先端４に固着することなしに又は先端に付着した汚れによって固着することなしに、滑動する。ガイドサポート１５も、洗浄しようとするサポートストリップ２上で支えられるだけではなく、隣接するサポートストリップ２上でも支えられる。ローラ１１，１２，１３，１４は装置１を側方でガイドする。この場合、サポートストリップ２の一方側に配置されたローラ対は、サポートストリップ２のそれぞれ反対側におけるローラ対のための対抗ホルダを形成している。
【００４３】
ローラ１１，１２，１３，１４が図示の状態とは異なり、垂直線に対して送り方向２８で傾けられた回転軸線２３で駆動されると、ローラ１１，１２，１３，１４は、装置１をガイドサポート１５の下側で以てサポートストリップ２の先端に引き寄せる。これによって、サポートストリップ２から装置１が不都合に持ち上がることは、自動的に避けられる。同様に、ストリップ２１，２２はサポートストリップ２と接触すると、垂直ではなく、送り装置２８に対して同じく前方に傾いて走行する。このような傾倒は、例えばストリップ２１，２２が相応につる巻線状に延在している場合に得られる。
【００４４】
同様に、送り運動においては装置１をガイドするためにガイド装置１８が用いられる。サポートストリップ２が組み込み位置で洗浄される場合、ガイド装置１８は、ローラ１１，１２，１３，１４とワークサポートの予想外に高い横方向支柱とがぶつかるのを阻止する。このような場合、ガイドプレート１６，１７はそのガイド面１９，２０が当該の横方向支柱３上を走行し、装置１は、連続的な送り運動の際に横方向支柱３を越えてガイドされる。
【００４５】
サポートストリップ２の長手方向側面における不可避的な非扁平性においては、ローラ１１，１２，１３，１４が、ばね弾性的に支えられていることによって、サポートストリップ２の横方向で所定の寸法まで変位する。このような形式の変位が不可能であって、従って装置１の送り運動がロックされる場合、装置１の駆動系（パワートレイン）内で電気式の駆動モータ６とローラ１１，１２，１３，１４との間に設けられた安全クラッチが、送り駆動装置の構成部分が損傷を被らないように配慮する。
【００４６】
図４及び図５に示されているようにサポートストリップを洗浄するための装置３１の構造及び機能は、図１〜図３に示した装置１と殆ど同じである。
【００４７】
装置３１は、操作のための設けられた装置に関して前記装置１とは異なっている。つまり装置３１は、湾曲ガイド部材を有しているのではなく、その代わりに、側方に突き出すガイドアーム３２，３３を有していて、このガイドアーム３２，３３にガイドグリッパ３４，３５が設けられている。付加的に、装置３１のベース体５の近くでガイドアーム３３に、転換グリッパ３６が設けられている。この転換グリッパ３６は、装置３１の運動方向を転換する際にその操作を軽減するために用いられる。サポートストリップがワークサポートに組み込まれた状態でその全長に亘って洗浄される場合、装置３１は、隣接するサポートストリップに装着する前に１８０°方向転換させる必要がある。この場合、転換グリッパ３６は、作業員のために装置３１を良好に操作する可能性を提供する。
【００４８】
同様に装置１とは異なり、装置３１には、ローラ対間のギャップ幅を変えるための切り換えレバーは設けられていない。このローラ対は、洗浄しようとするサポートストリップの互いに反対側に配属されていて、図４及び図５では完全に隠れている。一方ではローラ１１，１３、他方ではローラ１２，１４は、装置３１においてそれぞれ１つのカバープレート３７によって覆われており、従って図面には突き出し部として示されているだけである。装置３１においても、ローラ１１，１３；１２，１４は、互いに平行に、かつ弾性的な戻し力に抗して、負荷しようとするサポートストリップ面の横方向に変位可能である。弾性的な戻し力は皿ばねパケット３８，３９によって生ぜしめられる。
【００４９】
装置３１の初期状態において、一方ではローラ１１，１３間のギャップ幅、他方ではローラ１２，１４間のギャップ幅は、洗浄しようとするサポートストリップの厚さよりもやや小さい。洗浄しようとするサポートストリップへの装置３１の装着、ローラ１１，１３；１２，１４間のギャップ内へのサポートストリップの引き込みは、図１〜図３に示したように行われる。運転中に、装置３１のローラ１１，１３；１２，１４は、当該のサポートストリップの長手方向側面にプリロード（予備荷重）を受けて当接する。ローラ１１，１３；１２，１４に対して付加的に、装置３１は洗浄機構としてブラシ状の洗浄エレメント４０，４１を有している。
【００５０】
図５に示されているように、ブラシ状の洗浄エレメント４０，４１はガイド装置１８のガイドプレート１６，１７に取り付けられている。これらの洗浄エレメント４０，４１は、送り方向で見て、ローラ１１，１３；１２，１４の後ろに配置されている。洗浄エレメント４０，４１は、舌片状のセグメント２４を有しており、このセグメント４２によって洗浄エレメント４０，４１は、洗浄しようとするサポートストリップを、互いに向き合う長手方向側面においてプリロード（予備荷重）下で負荷する。ブラシ状の洗浄エレメント４０，４１の舌片状のセグメント４２は、装置３１の運動時に当該のサポートストリップに沿って、サポートストリップの先端４間の中間室内にも侵入して、ここに付着している汚れを取り除く。
【００５１】
装置１，３１を上記のようにマニュアル（手動）でガイドする代わりに、機械的なガイドも考えられる。このために、例えば洗浄しようとするサポートストリップ２を備えた加工機械の運動軸線が利用される。例えばレーザ加工装置において、装置１，３１は、特にレーザ加工ヘッドの運動軸線を用いて汚染されたサポートストリップ２に沿って移動する。
【図面の簡単な説明】
【００５２】
【図１】レーザー切断装置のワークサポートストリップに取り付けられた挿入部材におけるワークサポートストリップを洗浄するための、第１実施例による装置の部分的な斜視図である。
【図２】図１の矢印ＩＩ方向で見た図である。
【図３】図１の矢印III方向で見た図である。
【図４】ワークサポートストリップを洗浄するための、第２実施例による装置の斜視図である。
【図５】図４の矢印V方向で見た図である。
【符号の説明】
【００５３】
１  装置、  ２  サポートストリップ、  ３  横方向支柱、  ４  歯状の先端、  ７  伝動装置ケーシング、  ８  切換装置ケーシング、  ９  操作軸、  １０  切換レバー、  １１，１２，１３，１４  ローラ、  １５  ガイドサポート、  １６，１７  ガイドプレート、  １８  ガイド装置、  １９，２０  ガイド面、  ２１，２２  ストリップ、  ２４  湾曲ガイド部材、  ２５，２６  ガイドグリッパ、  ２７  矢印、  ３１  装置、  ３２，３３  ガイド支柱、  ３４，３５  ガイドグリッパ、  ３６  転換グリッパ、  ３７  ガイドプレート、  ３８，３９  皿ばねパケット、  ４０，４１  洗浄エレメント、  ４２  セグメント
【図１】
2006110632.tif 000003
【図２】
2006110632.tif 000004
【図３】
2006110632.tif 000005
【図４】
2006110632.tif 000006
【図５】
2006110632.tif 000007